(57)【要約】【課題】  釣り仕掛け用の釣り針の先端を外部に突出させず、巻き保持具の中心部の任意位置に止着して、しかも複数組で両面に保持収納できるようにする。【解決手段】  釣り仕掛けＰを巻回状に係合保持しておけるようにするベース盤１に、これの周縁部に沿って任意の間隔を置いて切り起こし可能に形成した係合片２と、係合片２のいずれかに釣り仕掛けＰの一端を引っ掛け可能となるよう当該係合片２に形成した引掛孔４と、釣り針Ｑを強制的に突き入れることで任意位置で保持可能とするようベース盤１の中央部に設けた軟質合成樹脂製の針収納部５とを備える。係合片２は、ベース盤１の一方面側および他方面側に交互に切り起こし可能とし、針収納部５はベース盤１中央部の両面に設ける。【選択図】      図１
0003105894.tif 000002
【実用新案登録請求の範囲】
【請求項１】
釣り仕掛けを巻回状に係合保持しておけるようベース盤の周縁部に沿って任意の間隔を置いて切り起こし可能に形成した係合片と、係合片のいずれかに釣り仕掛けの一端を引っ掛け可能となるよう当該係合片に形成された引掛孔と、釣り針を強制的にでも突き入れることで任意の位置で保持可能とするようベース盤の中央部に設けた軟質合成樹脂製の針収納部とを備えたことを特徴とする釣り仕掛け用巻き保持具。
【請求項２】
係合片は、ベース盤の一方面側および他方面側に切り起こし可能とした請求項１記載の釣り仕掛け用巻き保持具。
【請求項３】
前記針収納部は、ベース盤の中央部両面に設けた請求項１または２記載の釣り仕掛け用巻き保持具。
【考案の詳細な説明】
【技術分野】
【０００１】
本考案は、釣り糸の等間隔毎に釣り針を結わえて成る釣り仕掛けを巻回状に保持収納しておくことで安全に携帯可能とした釣り仕掛け用巻き保持具に関するものである。
【背景技術】
【０００２】
従来から、この種の釣り仕掛け用巻き保持具としては、特許文献１に開示されているように、中央に取っ手用の大孔１０２を形成した発泡ポリエチレン等の材質より成る円板１０１から成り、この円板１０１に、先頭針を刺し込むよう円板１０１の複数箇所に形成した小孔１０３と、仕掛け糸を交互に巻き込むよう円板１０１の外周に間隔を開けて形成した切り抜き溝１０４とを備えたものがある。
【０００３】
また、特許文献２に開示されているように、釣り用仕掛けの主針並びに従針を個別に引っ掛けるために円形状板２０１の中心部側の円上に間隔を置いて配置された複数の針先係合孔２０２と、仕掛け糸および糸尻を巻き付けるために円形状板２０１の周縁側の円上に間隔を置いて配置され且つ放射状に外側に開いて延びる半円状または台形状の複数の釣り糸挟持爪２０３とを備えたものがある。
【特許文献１】実開平６−３０８４号公報
【特許文献２】実用新案登録第２５１５０７３号公報
【考案の開示】
【考案が解決しようとする課題】
【０００４】
しかしながら従来において、例えば特許文献１による場合では、釣り針を刺し込むための小孔１０３が円板１０１の複数箇所に形成してあるため、中心部側における釣り針の引っ掛け位置が厳格に制約されてしまい、釣り針を中心部側の任意の位置に引っ掛けることができないものとなる。また、仕掛け糸を交互に巻き込むための切り抜き溝１０４が円板１０１の外周に間隔を開けて形成されているため、円板１０１の片面での釣り仕掛けの保持を可能とするだけであって、円板１０１の両面で複数組みの釣り仕掛けを保持させることができないものである。
【０００５】
一方、特許文献２による場合では、釣り用仕掛けの主針並びに従針を、中心部側の円上に間隔を置いて配置された複数の針先係合孔２０２に個別に引っ掛けるものであるため、主針並びに従針を中心部側の任意の位置に引っ掛けることができないものとなる。特に、釣り糸挟持爪２０３位置に対する針先係合孔２０２の間隔も限定されているため、例えば糸を緊張させずに弛ませた状態でもって主針並びに従針が針先係合孔２０２に引っ掛けられるような状態であっては、携帯中に糸が他物に引っ掛かって容易に外れてしまう虞れもある。また、針先係合孔２０２自体の個数も限られているため、従針の個数に対応できないものとなり、これによって中心部側における主針および従針の引っ掛け位置が厳格に制約されてしまうものとなる等の問題点がある。
【０００６】
そればかりでなく、上述した従来のいずれの仕掛け巻き保持具にあっては、釣り針は孔等に単に引掛けるだけであるために、その鋭利な先端は露出されたままとなっている。その結果、仕掛けを収納し、また取り出し、更には持参するときには手指、衣服、その他に引っ掛け、思わぬ怪我をすることがあった。
【０００７】
そこで本考案は叙上のような従来存した諸事情に鑑み案出されたもので、釣り針を中心部側の任意の位置に引っ掛けることができるようにすることで、糸を弛ませずに常に緊張した状態で釣り針を保持させ、しかも釣り針の先端を外部に突出させずに埋め込み状に保持させておくことで安全に収納できると共に、複数組みの釣り仕掛けを両面で各別に保持できる携帯安全な釣り仕掛け用巻き保持具を提供することを目的とする。
【課題を解決するための手段】
【０００８】
上述した課題を解決するため、本考案にあっては、釣り仕掛けＰを巻回状に係合保持しておけるようベース盤１の周縁部に沿って任意の間隔を置いて切り起こし可能に形成した係合片２と、係合片２のいずれかに釣り仕掛けＰの一端を引っ掛け可能となるよう当該係合片２に形成された引掛孔４と、釣り針Ｑを強制的にでも突き入れることで任意の位置で保持可能とするようベース盤１の中央部に設けた軟質合成樹脂製の針収納部５とを備えたものである。
また係合片２は、ベース盤１の一方面側および他方面側に切り起こし可能、例えば交互に切り起こし可能とすることができ、更には前記針収納部５は、ベース盤１の中央部両面に設けたものとすることができる。
【０００９】
以上のように構成された本考案に係る釣り仕掛け用巻き保持具にあって、いずれかの係合片２の引掛孔４に一端を引っ掛けた釣り仕掛けＰを、ベース盤１の一方面側に起こした係合片２に係合させながら巻回し、釣り針Ｑは中央部に設けた軟質合成樹脂製の針収納部５の任意位置に強制的にでも突き入れることで保持収納される。
また、ベース盤１の一方面側および他方面側に切り起こし可能とした係合片２は、ベース盤１の両面で複数組みの釣り仕掛けＰを収納保持させる。
ベース盤１の両面に設けた針収納部５は、ベース盤１の夫々の面で巻回収納した釣り仕掛けＰの釣り針Ｑを任位置で止着させ、しかも鋭利な釣り針Ｑの先端を埋め込み状に隠蔽させる。
【考案の効果】
【００１０】
本考案によれば、釣り針Ｑをベース盤１の中心部側の任意の位置に引っ掛けることができ、これによって、仕掛け用の糸を弛ませずに常に緊張した状態で且つ釣り針Ｑの先端を外部に突出させずに当該釣り針Ｑを確実に保持収納しておくことができ、鋭利な釣り針Ｑの先端が露出されないために携帯時の安全性が図れると共に、複数組みの釣り仕掛けＰを両面で保持収納させることができる。
【００１１】
すなわちこれは本考案が、釣り仕掛けＰを巻回状に係合保持しておけるようベース盤１の周縁部に沿って任意の間隔を置いて切り起こし可能に形成した係合片２と、係合片２のいずれかに釣り仕掛けＰの一端を引っ掛け可能となるよう当該係合片２に形成された引掛孔４と、釣り針Ｑを強制的にでも突き入れることで任意の位置で保持可能とするようベース盤１の中央部に設けた軟質合成樹脂製の針収納部５とを備えたからであり、これにより、釣り針Ｑを中心部側の任意の位置に容易に引っ掛け、しかも、その先端を埋め込み隠蔽状にして収納することができる。
【００１２】
また係合片２は、ベース盤１の一方面側および他方面側に切り起こし可能とし、前記針収納部５は、ベース盤１の中央部両面に設けたので、ベース盤１の両面で複数組の釣り仕掛けＰを容易に、互いに絡まることなく、各別に保持収納することができる。
【００１３】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１４】
以下図面を参照して本考案を実施するための最良の一形態を説明すると、図において示される符号１は、釣り糸の等間隔毎に例えば撚り戻し等の連結金具Ｒを介して釣り針Ｑを結わえて成る釣り仕掛けＰを、巻回状に保持収納しておくための釣り仕掛け用巻き保持具を構成する例えば硬質合成樹板材から成る薄型円板状のベース盤である。
【００１５】
ベース盤１は、例えば塩化ビニール樹脂等の耐水性のある硬質合成樹製の板材質より成る直径約２３ｃｍ程度の円板によって形成され、中央には例えば親指を入れて持った状態で使用するための約４ｃｍ程度の小孔状の取っ手孔部６を形成してある。ベース盤１の周縁部には、円周上に沿って等間隔毎に配置され且つ外側に開いて延びるよう放射状に配列して切り起こし円形状の複数の係合片２を備え、当該係合片２それぞれには、釣り仕掛けＰの一端をフック部材Ｓを介していずれかの係合片２に引っ掛けるための小孔状の引掛孔４を備えている。
【００１６】
尚、係合片２は、図示にあっては釣り糸を係合しやすいようにΩ字状としてあるも、短形状、三角形状等の他の形状に変更することも可能である。また、相互の間隔は、釣り糸をこれに巻回したときに後述の針収納部５の外周に位置されるようにしておくことが望ましい。
【００１７】
また、係合片２相互間には、放射状に外側に開いて延びる係合片２よりも小さな切り起こしＵ字状の補助係合片３を備え、係合片２によって釣り仕掛けＰをベース盤１に巻回状に係合保持した後の釣り仕掛けＰの糸尻をこの補助係合片３に引っ掛け保持できるようにしてある。
【００１８】
さらに、ベース盤１の中央部両面には、軟質合成樹脂製による例えばスポンジゴム製等の中央に小孔状の取っ手孔部６を有する円板状の針収納部５が例えば不図示の両面粘着テープあるいは所定の接着剤等を介して貼着されており、この針収納部５の任意位置に釣り針Ｑ先端を強制的に埋込状に突き入れることで釣り針Ｑをベース盤１中央部の任意位置で保持できるようにしてある。
【００１９】
使用に際し、いずれかの係合片２における引掛孔４にフック部材Ｓを介して一端を引っ掛けた釣り仕掛けＰを、ベース盤１の一方面側で起こした係合片２に係合させながら巻回して行き、例えば撚り戻し等の連結金具Ｒを介して釣り糸の等間隔毎に結わえてある釣り針Ｑは、ベース盤１の中央部両面に設けた針収納部５の任意位置にその先端を強制的に突き刺して保持するものとしてある。
【００２０】
また係合片２は、ベース盤１の一方面側および他方面側に交互に、場合によっては適数置き毎に切り起こし可能とすることで、ベース盤１の他方面側でも同様に釣り仕掛けＰを巻回収納できるものとし、ベース盤１の両面での複数組の釣り仕掛けＰの収納保持が行えるようにしてある。尚、図１には、ベース盤１の一方面側だけが示されていて、裏面が見えない状態となっているが、この裏面である他方面側にも同様に釣り仕掛けＰが巻回保持されている。
【００２１】
次に、本考案に係る巻き保持具の使用方法について説明すれば、先ず係合片２を、ベース盤１の一方面側および他方面側に切り起こしておく。そしてベース盤１の一方面側におけるいずれかの係合片２の引掛孔４にフック部材Ｓを介して釣り仕掛けＰの一端を引っ掛けた後、係合片２に釣り仕掛けＰを係合させながら巻回して行く。このとき例えば撚り戻し等の連結金具Ｒを介して釣り糸の等間隔毎に結わえてある釣り針Ｑは、ベース盤１の一方面側における中央部に設けた針収納部５の任意位置に強制的に突き刺し、止着して保持する。
【００２２】
また係合片２によって釣り仕掛けＰを巻回状に係合保持した後の釣り仕掛けＰの糸尻は、係合片２相互間の補助係合片３に引っ掛けて保持しておけば良い。尚、ベース盤１の他方面側でも上記と同様に、その他方面側に切り起こした係合片２に係合することで釣り仕掛けＰを巻回収納すればよい。
【図面の簡単な説明】
【００２３】
【図１】本考案を実施するための最良の形態を示す使用状態における一部切欠の斜視図である。
【図２】同じく正面図である。
【図３】同じく背面図である。
【図４】巻回使用時の図２中のＡ−Ａ線に沿う断面図である。
【図５】従来例における巻き保持具の使用状態の正面図である。
【図６】他の従来例における巻き保持具の使用状態の正面図である。
【符号の説明】
【００２４】
Ｐ…釣り仕掛け                          Ｑ…釣り針
Ｒ…連結金具                            Ｓ…フック部材
１…ベース盤                            ２…係合片
３…補助係合片                          ４…引掛孔
５…針収納部                            ６…取っ手孔部
１０１…円板                            １０２…大孔
１０３…小孔                            １０４…切り抜き溝
２０１…円形状板                        ２０２…針先係合孔
２０３…釣り糸挟持爪
【図１】
0003105894.tif 000003
【図２】
0003105894.tif 000004
【図３】
0003105894.tif 000005
【図４】
0003105894.tif 000006
【図５】
0003105894.tif 000007
【図６】
0003105894.tif 000008